(57)【要約】【課題】リターンロスの増加を抑制しつつ給電箇所の移動や増設を行うことができるパッチアンテナを提供する。【解決手段】アンテナエレメント用導電性板材３が、地板２に離間した状態で地板２と対向して配置され、中央部に透孔１０が形成されている。アンテナエレメント用導電性板材３は正方形をなし、透孔１０は、正方形をなすアンテナエレメント用導電性板材３と中心が同じで、かつアンテナエレメント用導電性板材３と相似形の正方形をなし、透孔１０の辺Ｓｉ１〜Ｓｉ４上が給電箇所となり、地板２とアンテナエレメント用導電性板材３との距離を電波の１／２０波長とし、かつ、正方形のアンテナエレメント用導電性板材３における辺Ｓｏ１〜Ｓｏ４の長さに対し正方形の透孔１０における辺Ｓｉ１〜Ｓｉ４の長さが３４〜４２％となっている。【選択図】図１
2008219576.tif 000002
【特許請求の範囲】
【請求項１】
地板（２）と、
前記地板（２）に離間した状態で地板（２）と対向して配置され、中央部に透孔（１０）が形成されたアンテナエレメント用導電性板材（３）と、
を備えたパッチアンテナであって、
前記アンテナエレメント用導電性板材（３）は正方形をなし、前記透孔（１０）は、前記正方形をなすアンテナエレメント用導電性板材（３）と中心が同じで、かつアンテナエレメント用導電性板材（３）と相似形の正方形をなし、当該透孔（１０）の辺（Ｓｉ１〜Ｓｉ４）上が給電箇所となり、
前記地板（２）とアンテナエレメント用導電性板材（３）との距離（Ｌ）を電波の１／２０波長とし、かつ、前記正方形のアンテナエレメント用導電性板材（３）における辺（Ｓｏ１〜Ｓｏ４）の長さ（Ｘ）に対し前記正方形の透孔（１０）における辺（Ｓｉ１〜Ｓｉ４）の長さ（Ｙ）を３４〜４２％としたことを特徴とするパッチアンテナ。
【請求項２】
地板（２）と、
前記地板（２）に離間した状態で地板（２）と対向して配置され、中央部に透孔（１０）が形成されたアンテナエレメント用導電性板材（３）と、
を備えたパッチアンテナであって、
前記アンテナエレメント用導電性板材（３）は正方形をなし、前記透孔（１０）は、前記正方形をなすアンテナエレメント用導電性板材（３）と中心が同じで、かつアンテナエレメント用導電性板材（３）と相似形の正方形をなし、当該透孔（１０）の辺（Ｓｉ１〜Ｓｉ４）上が給電箇所となり、
前記地板（２）とアンテナエレメント用導電性板材（３）との距離（Ｌ）を電波の１／２４波長とし、かつ、前記正方形のアンテナエレメント用導電性板材（３）における辺（Ｓｏ１〜Ｓｏ４）の長さ（Ｘ）に対し前記正方形の透孔（１０）における辺（Ｓｉ１〜Ｓｉ４）の長さ（Ｙ）を２９〜３７％としたことを特徴とするパッチアンテナ。
【請求項３】
地板（２）と、
前記地板（２）に離間した状態で地板（２）と対向して配置され、中央部に透孔（１０）が形成されたアンテナエレメント用導電性板材（３）と、
を備えたパッチアンテナであって、
前記アンテナエレメント用導電性板材（３）は正方形をなし、前記透孔（１０）は、前記正方形をなすアンテナエレメント用導電性板材（３）と中心が同じで、かつアンテナエレメント用導電性板材（３）と相似形の正方形をなし、当該透孔（１０）の辺（Ｓｉ１〜Ｓｉ４）上が給電箇所となり、
前記地板（２）とアンテナエレメント用導電性板材（３）との距離（Ｌ）を電波の１／３０波長とし、かつ、前記正方形のアンテナエレメント用導電性板材（３）における辺（Ｓｏ１〜Ｓｏ４）の長さ（Ｘ）に対し前記正方形の透孔（１０）における辺（Ｓｉ１〜Ｓｉ４）の長さ（Ｙ）を２７〜３３％としたことを特徴とするパッチアンテナ。
【請求項４】
地板（２）と、
前記地板（２）に離間した状態で地板（２）と対向して配置され、中央部に透孔（１０）が形成されたアンテナエレメント用導電性板材（３）と、
を備えたパッチアンテナであって、
前記アンテナエレメント用導電性板材（３）は正方形をなし、前記透孔（１０）は、前記正方形をなすアンテナエレメント用導電性板材（３）と中心が同じで、かつアンテナエレメント用導電性板材（３）と相似形の正方形をなし、当該透孔（１０）の辺（Ｓｉ１〜Ｓｉ４）上が給電箇所となり、
前記地板（２）とアンテナエレメント用導電性板材（３）との距離（Ｌ）を電波の１／４０波長とし、かつ、前記正方形のアンテナエレメント用導電性板材（３）における辺（Ｓｏ１〜Ｓｏ４）の長さ（Ｘ）に対し前記正方形の透孔（１０）における辺（Ｓｉ１〜Ｓｉ４）の長さ（Ｙ）を２２〜２８％としたことを特徴とするパッチアンテナ。
【請求項５】
地板（２）と、
前記地板（２）に離間した状態で地板（２）と対向して配置され、中央部に透孔（１０）が形成されたアンテナエレメント用導電性板材（３）と、
を備えたパッチアンテナであって、
前記アンテナエレメント用導電性板材（３）は正方形をなし、前記透孔（１０）は、前記正方形をなすアンテナエレメント用導電性板材（３）と中心が同じで、かつアンテナエレメント用導電性板材（３）と相似形の正方形をなし、当該透孔（１０）の辺（Ｓｉ１〜Ｓｉ４）上が給電箇所となり、
前記地板（２）とアンテナエレメント用導電性板材（３）との距離（Ｌ）を電波の１／６０波長とし、かつ、前記正方形のアンテナエレメント用導電性板材（３）における辺（Ｓｏ１〜Ｓｏ４）の長さ（Ｘ）に対し前記正方形の透孔（１０）における辺（Ｓｉ１〜Ｓｉ４）の長さ（Ｙ）を１８〜２５％としたことを特徴とするパッチアンテナ。
【発明の詳細な説明】
【技術分野】
【０００１】
本発明は、パッチアンテナに関するものである。
【背景技術】
【０００２】
特許文献１においてパッチアンテナが開示されている。このパッチアンテナを詳しく説明する。図１３に示すように、地板用基板（プリント基板）１００に対しアンテナエレメント用導電性板材１０１が離間して対向配置され、アンテナエレメント用導電性板材１０１においてその中央部に透孔（開口部）１０２が設けられている。ここで、アンテナエレメント用導電性板材１０１を地板用基板１００に支えるための支持構造として、アンテナエレメント用導電性板材１０１における内周（透孔１０２の周端）上に給電端子１０３及び地板用基板１００への固定用端子１０４を設け、それぞれの端子１０３，１０４を地板用基板１００の方向に折り曲げて地板用基板１００に固定している。よって、アンテナエレメント用導電性板材１０１に透孔（開口部）１０２を設けることで小型化を図ることができるとともに、透孔（開口部）１０２上に給電部を設けることで作りやすさを向上している。
【特許文献１】特開２００６−１２８８９８号公報
【発明の開示】
【発明が解決しようとする課題】
【０００３】
この種のパッチアンテナにおいて給電箇所の移動や増設を行おうとすると、リターンロスの増加を招いてしまう。
本発明は、このような背景の下になされたものであり、その目的は、リターンロスの増加を抑制しつつ給電箇所の移動や増設を行うことができるパッチアンテナを提供することにある。
【課題を解決するための手段】
【０００４】
上記の課題を解決するために、請求項１に記載の発明では、地板と、前記地板に離間した状態で地板と対向して配置され、中央部に透孔が形成されたアンテナエレメント用導電性板材と、を備えたパッチアンテナであって、前記アンテナエレメント用導電性板材は正方形をなし、前記透孔は、前記正方形をなすアンテナエレメント用導電性板材と中心が同じで、かつアンテナエレメント用導電性板材と相似形の正方形をなし、当該透孔の辺上が給電箇所となり、地板とアンテナエレメント用導電性板材との距離を電波の１／２０波長とし、かつ、正方形のアンテナエレメント用導電性板材における辺の長さに対し正方形の透孔における辺の長さを３４〜４２％としたことを要旨とする。
【０００５】
請求項２に記載の発明では、地板と、前記地板に離間した状態で地板と対向して配置され、中央部に透孔が形成されたアンテナエレメント用導電性板材と、を備えたパッチアンテナであって、前記アンテナエレメント用導電性板材は正方形をなし、前記透孔は、前記正方形をなすアンテナエレメント用導電性板材と中心が同じで、かつアンテナエレメント用導電性板材と相似形の正方形をなし、当該透孔の辺上が給電箇所となり、地板とアンテナエレメント用導電性板材との距離を電波の１／２４波長とし、かつ、正方形のアンテナエレメント用導電性板材における辺の長さに対し正方形の透孔における辺の長さを２９〜３７％としたことを要旨とする。
【０００６】
請求項３に記載の発明では、地板と、前記地板に離間した状態で地板と対向して配置され、中央部に透孔が形成されたアンテナエレメント用導電性板材と、を備えたパッチアンテナであって、前記アンテナエレメント用導電性板材は正方形をなし、前記透孔は、前記正方形をなすアンテナエレメント用導電性板材と中心が同じで、かつアンテナエレメント用導電性板材と相似形の正方形をなし、当該透孔の辺上が給電箇所となり、地板とアンテナエレメント用導電性板材との距離を電波の１／３０波長とし、かつ、正方形のアンテナエレメント用導電性板材における辺の長さに対し正方形の透孔における辺の長さを２７〜３３％としたことを要旨とする。
【０００７】
請求項４に記載の発明では、地板と、前記地板に離間した状態で地板と対向して配置され、中央部に透孔が形成されたアンテナエレメント用導電性板材と、を備えたパッチアンテナであって、前記アンテナエレメント用導電性板材は正方形をなし、前記透孔は、前記正方形をなすアンテナエレメント用導電性板材と中心が同じで、かつアンテナエレメント用導電性板材と相似形の正方形をなし、当該透孔の辺上が給電箇所となり、地板とアンテナエレメント用導電性板材との距離を電波の１／４０波長とし、かつ、正方形のアンテナエレメント用導電性板材における辺の長さに対し正方形の透孔における辺の長さを２２〜２８％としたことを要旨とする。
【０００８】
請求項５に記載の発明では、地板と、前記地板に離間した状態で地板と対向して配置され、中央部に透孔が形成されたアンテナエレメント用導電性板材と、を備えたパッチアンテナであって、前記アンテナエレメント用導電性板材は正方形をなし、前記透孔は、前記正方形をなすアンテナエレメント用導電性板材と中心が同じで、かつアンテナエレメント用導電性板材と相似形の正方形をなし、当該透孔の辺上が給電箇所となり、地板とアンテナエレメント用導電性板材との距離を電波の１／６０波長とし、かつ、正方形のアンテナエレメント用導電性板材における辺の長さに対し正方形の透孔における辺の長さを１８〜２５％としたことを要旨とする。
【０００９】
請求項１，２，３，４，５に記載の発明によれば、リターンロスの増加を抑制しながらアンテナエレメント用導電性板材の透孔の任意の辺上に給電設置が可能な形状としたことで、リターンロスの増加を抑制しつつ給電箇所の移動や増設を行うことができる。
【発明を実施するための最良の形態】
【００１０】
以下、本発明を具体化した一実施形態を図面に従って説明する。
図１には本実施形態におけるパッチアンテナ１を示し、図１（ａ）はパッチアンテナ１の平面図であり、図１（ｂ）はパッチアンテナ１の正面図であり、図１（ｃ）は図１（ａ）のＡ−Ａ線での縦断面図である。図２は同じくパッチアンテナ１の分解斜視図である。本パッチアンテナ１は、例えば、ＵＨＦ帯ＲＦＩＤタグシステムのリーダ・ライタ用アンテナとして使用することができる。具体的には、電波の周波数が９５０ＭＨｚである。
【００１１】
図２に示すように、パッチアンテナ１は、地板２と、アンテナエレメント用導電性板材３と、この両部材２，３間に配置されるスペーサー（台座）４と、締結部材としてのネジ５，６と、給電端子（給電線）７と、コネクタ８（図１参照）から構成されている。
【００１２】
地板２は正方形の金属板よりなり、具体的には鉄板または銅板よりなる。地板２は、図１に示すように水平方向に延びるようにして、即ち、横にして配置されている。アンテナエレメント用導電性板材３は金属平板よりなり、具体的には鉄板または銅板よりなる。
【００１３】
アンテナエレメント用導電性板材３は全体の形状として正方形をなし、縦横のサイズは地板２よりも小さい。正方形をなすアンテナエレメント用導電性板材３の各辺（外周端３ａにおける各辺）を、Ｓｏ１，Ｓｏ２，Ｓｏ３，Ｓｏ４とする。アンテナエレメント用導電性板材３は、地板２の上方において地板２に離間した状態で、地板２と対向して配置されている。
【００１４】
図１（ａ）の平面図において、正方形をなすアンテナエレメント用導電性板材３は、中央部に透孔１０が形成されている。透孔１０は、正方形をなすアンテナエレメント用導電性板材３と中心が同じで、かつアンテナエレメント用導電性板材３と相似形の正方形をなしている。これにより、正方形をなす透孔１０の各辺Ｓｉ１，Ｓｉ２，Ｓｉ３，Ｓｉ４が、正方形のアンテナエレメント用導電性板材３の各辺Ｓｏ１，Ｓｏ２，Ｓｏ３，Ｓｏ４と平行をなしている。図１，２では、辺Ｓｏ１と辺Ｓｉ１、辺Ｓｏ２と辺Ｓｉ２、辺Ｓｏ３と辺Ｓｉ３、辺Ｓｏ４と辺Ｓｉ４が、それぞれ平行となっている。
【００１５】
アンテナエレメント用導電性板材３における内周端３ｂにおいて辺Ｓｉ１から給電端子７が下方に延びている。この給電端子７は帯板状をなし、アンテナエレメント用導電性板材３の一部を折り曲げることにより形成したものである。図３は給電端子７を折り曲げる前の状態でのアンテナエレメント用導電性板材３の平面図である。図３に示すように給電端子７は三角形状をなしている。また、給電端子７は、アンテナエレメント用導電性板材３での辺Ｓｉ１の中点位置に設けられている。
【００１６】
図１，２において、スペーサー４に関して、４つのスペーサー４により地板２とアンテナエレメント用導電性板材３とが所定の間隔を隔てて離間した状態で対向配置されている。スペーサー４は筒状をなし、スペーサー４の内面（筒材の内面）は雌ネジ部となっており、ネジ５，６を螺入することができるようになっている。スペーサー４は絶縁材料よりなり、具体的にはＡＢＳ樹脂製である。
【００１７】
図２，３に示すように、アンテナエレメント用導電性板材３には、４つの透孔１１ａ，１１ｂ，１１ｃ，１１ｄが形成されている。透孔１１ａ，１１ｂ，１１ｃ，１１ｄは、アンテナエレメント用導電性板材３における外周端３ａと内周端３ｂの中間位置で、かつ、正方形のアンテナエレメント用導電性板材３における辺Ｓｏ１，Ｓｏ２，Ｓｏ３，Ｓｏ４での中点と正方形の透孔１０における対応する辺Ｓｉ１，Ｓｉ２，Ｓｉ３，Ｓｉ４での中点とを結ぶ線上に形成されている。
【００１８】
図２に示すように、地板２においても、アンテナエレメント用導電性板材３の透孔１１ａ，１１ｂ，１１ｃ，１１ｄと対応する位置に透孔１２ａ，１２ｂ，１２ｃ，１２ｄが形成されている。
【００１９】
ネジ５がアンテナエレメント用導電性板材３を通してスペーサー４に螺合していると共にネジ６が地板２を通してスペーサー４に螺合している。詳しくは、ネジ５，６が、アンテナエレメント用導電性板材３と地板２を貫通する状態でスペーサー４に螺入され、地板２とアンテナエレメント用導電性板材３とが固定されている。つまり、地板２の上にスペーサー４を載せ、更にその上にアンテナエレメント用導電性板材３を配置し、アンテナエレメント用導電性板材３の上側からネジ５をアンテナエレメント用導電性板材３に設けた透孔１１ａ，１１ｂ，１１ｃ，１１ｄを通してスペーサー４の雌ネジ部に螺入するとともに、地板２の下側からネジ６を地板２に設けた透孔１２ａ，１２ｂ，１２ｃ，１２ｄを通してスペーサー４の雌ネジ部に螺入することにより、地板２とアンテナエレメント用導電性板材３とが固定されている。
【００２０】
また、図２に示すように、地板２には透孔１３が形成され、この透孔１３を通して給電端子７が地板２の下面に突出している。図１（ｃ）に示すように、地板２の下面にはコネクタ８が設置され、給電用コネクタ８は給電端子７と接続されている。図１（ａ）に示すように、給電端子７の基端（折曲部）が給電点Ｐとなっている。
【００２１】
本実施形態においては、スペーサー４とネジ５とネジ６により一組の固定部材が構成され、４つのスペーサー４と４つのネジ５と４つのネジ６により、地板２とアンテナエレメント用導電性板材３とを固定するための複数の固定部材が構成されている。この固定部材が、アンテナエレメント用導電性板材３における外周端３ａと内周端３ｂの中間位置に、地板２とアンテナエレメント用導電性板材３とが非導通状態となるように配置されている。
【００２２】
ここで、図１（ｂ）に示すように、地板２とアンテナエレメント用導電性板材３との距離Ｌを、電波の１／２０波長としている。具体的には電波の周波数が９５０ＭＨｚであるので、波長λは３×１０８［ｍ／ｓ］／９５０×１０６［Ｈｚ］＝０．３１５［ｍ］であり、λ／２０＝Ｌ＝１６ｍｍとしている。また、図１（ａ）に示すように、正方形のアンテナエレメント用導電性板材３における辺Ｓｏ１〜Ｓｏ４の長さＸに対し正方形の透孔１０における辺Ｓｉ１〜Ｓｉ４の長さＹを３４〜４２％としている。
【００２３】
このようにして、アンテナエレメント用導電性板材３は透孔（開口部）１０により小型化され、アンテナエレメント用導電性板材３および透孔１０は正方形（上下左右対称形状）であり、透孔１０の辺Ｓｉ１上に給電部（給電端子７）が設けられているため、図４に示すように、アンテナのリターンロスが−１５ｄＢ以下（ＶＳＷＲが１．５以下）となる。図４を詳しく説明する。
【００２４】
図４の横軸には、アンテナエレメント用導電性板材３の外周端での各辺の長さＸに対する透孔１０の各辺の長さＹの比率（百分率：％）をとっている。また、図４の縦軸には、リターンロスをとっている。図４は、アンテナエレメント用導電性板材３の外周端での各辺の長さＸを１２５ｍｍとし、周波数を９５０ＭＨｚ、アンテナ高さ（図１（ｂ）での板材３と地板２との距離Ｌ）を電波の１／２０波長としている。
【００２５】
この図４において、リターンロスを−１５ｄＢ以下にするためにはＹ／Ｘを３４〜４２％にすればよいことが分かる。つまり、透孔１０の辺上はどの辺でもアンテナのリターンロスが−１５ｄＢ以下を満足するため、給電箇所（給電位置）の移動や増設が容易に実現できる。給電を増設することで２給電アンテナとしての動作も可能となるため、円偏波アンテナや偏波面切換アンテナとしても動作可能である。
【００２６】
つまり、給電箇所（給電位置）の移動については、図３において実線で示す給電端子７の位置は辺の中点位置であるが、これを一点鎖線で示すように給電端子７’の位置を辺の中点位置からずらす。これにより給電箇所（給電位置）を移動することができる。
【００２７】
また、給電箇所（給電位置）の増設については、図１に代わる図５、および図３に代わる図６に示すように、アンテナエレメント用導電性板材３の透孔１０の辺Ｓｉ１に給電端子７ａを設けるとともにアンテナエレメント用導電性板材３の透孔１０の辺Ｓｉ４に給電端子７ｂを設け、２つの給電端子７ａ，７ｂを有する構成とする。各給電端子７ａ，７ｂには給電用コネクタ８ａ，８ｂが接続されている。これにより、例えば、給電端子７ａに給電することにより水平偏波用とすることができ、給電端子７ｂに給電することにより垂直偏波用とすることができ、偏波の切り替えを行うことができる。あるいは、給電端子７ａおよび給電端子７ｂに給電することにより円偏波用とすることができ、円偏波化することができる。
【００２８】
上記実施形態によれば、以下のような効果を得ることができる。
（１）アンテナエレメント用導電性板材３は正方形をなし、透孔１０は、正方形をなすアンテナエレメント用導電性板材３と中心が同じで、かつアンテナエレメント用導電性板材３と相似形の正方形をなし、当該透孔１０の辺Ｓｉ１〜Ｓｉ４上が給電箇所（給電点）となり、地板２とアンテナエレメント用導電性板材３との距離Ｌを電波の１／２０波長とし、かつ、正方形のアンテナエレメント用導電性板材３における辺Ｓｏ１〜Ｓｏ４の長さＸに対し正方形の透孔１０における辺Ｓｉ１〜Ｓｉ４の長さＹを３４〜４２％とした。これにより、リターンロスの増加を抑制しながらアンテナエレメント用導電性板材３の透孔１０の任意の辺上に給電設置が可能な形状としたことで、リターンロスの増加を抑制しつつ給電箇所の移動や増設を行うことができる（複数偏波に対応するアンテナ設計が容易にできる）。
【００２９】
（２）地板２とアンテナエレメント用導電性板材３を固定するための固定部材（スペーサー、ネジ）に関して、固定部材をアンテナエレメント用導電性板材３における透孔１０の辺上ではなくアンテナエレメント用導電性板材の外周端３ａと内周端３ｂとの間に配置している。よって、固定部材に邪魔されることなく給電箇所の移動や増設を行うことができる。詳しくは、図１３の特許文献１においては、アンテナエレメント用導電性板材１０１の透孔（開口部）１０２に給電以外の構成物として取付脚（１０４）があるため給電箇所が移動、増設できない。しかし、本実施形態では透孔１０の辺上には固定部材が存在しないので適宜の場所に給電箇所を設けることができる。また、本実施形態では、アンテナエレメント用導電性板材３の平面形状の簡素化を図ることができる。つまり、図１３の特許文献１においては、アンテナの組付にアンテナエレメント用導電性板材１０１の透孔（開口部）１０２の周端において折り曲げた端子１０３，１０４を用いて固定しているため、アンテナエレメント用導電性板材１０１の形状が複雑になるが、本実施形態では、固定部材としてスペーサー４、ネジ５，６を用いており、アンテナエレメント用導電性板材３の形状の簡素化を図ることができる。
【００３０】
なお、前記実施形態は以下のように変更してもよい。
給電端子７の形状はテーパ形状としているが、他の形状、例えば、線状、長方形状、逆テーパ形状でもよい。給電部への給電はコネクタによる給電の他にも、給電基板による給電、ケーブル溶接による給電でもよい。
【００３１】
また、図７，８に示すように、アンテナエレメント用導電性板材３と地板２間に誘電材５０を配した構成としてもよい。図７，８に関して詳しくは、誘電材５０は板状をなし、ボルト貫通用の孔５０ａ，５０ｂ，５０ｃ，５０ｄおよび給電端子貫通用の孔５０ｅが形成されている。地板２側から４本のボルト５１が、地板２と誘電材５０とアンテナエレメント用導電性板材３を貫通するように配置され、アンテナエレメント用導電性板材３側においてナット５２が螺入され、このボルトナットにより固定されている。
【００３２】
また、上記実施形態においては地板２とアンテナエレメント用導電性板材３との距離Ｌを電波の１／２０波長とした場合（λ／２０の場合）において正方形のアンテナエレメント用導電性板材３における辺の長さに対し正方形の透孔１０における辺の長さを３４〜４２％となるようにしたが、これに代わり、図９に示すように、λ／２４では２９〜３７％、図１０に示すように、λ／３０では２７〜３３％、図１１に示すように、λ／４０では２２〜２８％、図１２に示すように、λ／６０では１８〜２５％となるようにする。
【００３３】
つまり、アンテナエレメント用導電性板材３は正方形をなし、透孔１０は、正方形をなすアンテナエレメント用導電性板材３と中心が同じで、かつアンテナエレメント用導電性板材３と相似形の正方形をなし、透孔１０の辺Ｓｉ１〜Ｓｉ４上が給電箇所となる場合であって、（イ）地板２とアンテナエレメント用導電性板材３との距離Ｌを電波の１／２４波長とし、かつ、正方形のアンテナエレメント用導電性板材３における辺Ｓｏ１〜Ｓｏ４の長さＸに対し正方形の透孔１０における辺Ｓｉ１〜Ｓｉ４の長さＹを２９〜３７％とする。あるいは、（ロ）地板２とアンテナエレメント用導電性板材３との距離Ｌを電波の１／３０波長とし、かつ、正方形のアンテナエレメント用導電性板材３における辺Ｓｏ１〜Ｓｏ４の長さＸに対し正方形の透孔１０における辺Ｓｉ１〜Ｓｉ４の長さＹを２７〜３３％とする。あるいは、（ハ）地板２とアンテナエレメント用導電性板材３との距離Ｌを電波の１／４０波長とし、かつ、正方形のアンテナエレメント用導電性板材３における辺Ｓｏ１〜Ｓｏ４の長さＸに対し正方形の透孔１０における辺Ｓｉ１〜Ｓｉ４の長さＹを２２〜２８％とする。あるいは、（ニ）地板２とアンテナエレメント用導電性板材３との距離Ｌを電波の１／６０波長とし、かつ、正方形のアンテナエレメント用導電性板材３における辺Ｓｏ１〜Ｓｏ４の長さＸに対し正方形の透孔１０における辺Ｓｉ１〜Ｓｉ４の長さＹを１８〜２５％とする。
【００３４】
このようにしても、上記実施形態と同様に、リターンロスの増加を抑制しながらアンテナエレメント用導電性板材の透孔の任意の辺上に給電設置が可能な形状にでき、これにより、リターンロスの増加を抑制しつつ給電箇所の移動や増設を行うことができる。
【図面の簡単な説明】
【００３５】
【図１】（ａ）は実施形態におけるパッチアンテナの平面図、（ｂ）はパッチアンテナの正面図、（ｃ）は（ａ）のＡ−Ａ線での縦断面図。
【図２】実施形態におけるパッチアンテナの分解斜視図。
【図３】アンテナエレメント用導電性板材の平面図。
【図４】辺長比Ｙ／Ｘとリターンロスとの関係を示す図。
【図５】（ａ）は実施形態におけるパッチアンテナの平面図、（ｂ）はパッチアンテナの正面図、（ｃ）は（ａ）のＡ−Ａ線での縦断面図。
【図６】アンテナエレメント用導電性板材の平面図。
【図７】別例におけるパッチアンテナの分解斜視図。
【図８】別例におけるパッチアンテナの正面図。
【図９】辺長比Ｙ／Ｘとリターンロスとの関係を示す図。
【図１０】辺長比Ｙ／Ｘとリターンロスとの関係を示す図。
【図１１】辺長比Ｙ／Ｘとリターンロスとの関係を示す図。
【図１２】辺長比Ｙ／Ｘとリターンロスとの関係を示す図。
【図１３】（ａ）は背景技術を説明するためのパッチアンテナの平面図、（ｂ）は（ａ）のＡ−Ａ線でのパッチアンテナの縦断面図。
【符号の説明】
【００３６】
２…地板、３…アンテナエレメント用導電性板材、１０…透孔、Ｓｉ１，Ｓｉ２，Ｓｉ３，Ｓｉ４…辺、Ｓｏ１，Ｓｏ２，Ｓｏ３，Ｓｏ４…辺。
【図１】
2008219576.tif 000003
【図２】
2008219576.tif 000004
【図３】
2008219576.tif 000005
【図４】
2008219576.tif 000006
【図５】
2008219576.tif 000007
【図６】
2008219576.tif 000008
【図７】
2008219576.tif 000009
【図８】
2008219576.tif 000010
【図９】
2008219576.tif 000011
【図１０】
2008219576.tif 000012
【図１１】
2008219576.tif 000013
【図１２】
2008219576.tif 000014
【図１３】
2008219576.tif 000015